(57)【要約】【課題】情報処理装置の設定を多様な機器において確認する。【解決手段】情報処理装置に、この情報処理装置に対する設定信号を入力するための設定入力画面を表示装置に表示させるための設定入力画面生成用信号を静止画形式及び動画形式の少なくとも一方の形式で生成する表示制御部と、表示制御部が生成した設定入力画面生成用信号を通信部を介して表示装置に送出する通信制御部とを設けた。【選択図】図４
2015191371.tif 000002
【特許請求の範囲】
【請求項１】
表示装置との間で無線によりデータの送受信を行う通信部を有する情報処理装置において、
前記情報処理装置に対する設定信号を入力するための設定入力画面を前記表示装置に表示させるための設定入力画面生成用信号を静止画形式及び動画形式の少なくとも一方の形式で生成する表示制御部と、
前記表示制御部が生成した前記設定入力画面生成用信号を前記通信部を介して前記表示装置に送出する通信制御部と
を備えることを特徴とする情報処理装置。
【請求項２】
前記表示制御部が前記設定入力画面生成用信号を生成している際に、前記設定信号の入力を受け付ける入力部を備える
ことを特徴とする請求項１記載の情報処理装置。
【請求項３】
前記通信部は、無線ＬＡＮにより表示装置との間でデータの送受信を行うことを特徴とする請求項１または２に記載の情報処理装置。
【請求項４】
前記通信部は、ＷｉＦｉ  Ｄｉｒｅｃｔ規格により表示装置との間でデータの送受信を行うことを特徴とする請求項３に記載の情報処理装置。
【請求項５】
前記表示制御部は、生成した前記設定入力画面生成用信号を無線映像転送技術により前記通信部を介して前記表示装置に送信することを特徴とする請求項４に記載の情報処理装置。
【請求項６】
前記表示制御部は、生成した前記設定入力画面生成用信号をＭｉｒａｃａｓｔ規格により前記通信部を介して前記表示装置に送信することを特徴とする請求項５に記載の情報処理装置。
【請求項７】
他の装置との間で無線によりデータの送受信を行う第１の通信部を有する情報処理装置、及び、表示画面生成用信号に基づいて所定の表示画面を表示する表示部と、他の装置との間で無線によりデータの送受信を行う第２の通信部とを有する表示装置からなる画面表示システムにおいて、
前記情報処理装置は、
前記情報処理装置に対する設定信号を入力するための設定入力画面を前記表示装置に表示させるための設定入力画面生成用信号を静止画形式及び動画形式の少なくとも一方の形式で生成する第１の表示制御部と、
前記表示制御部が生成した前記設定入力画面生成用信号を前記第１の通信部を介して前記表示装置に送出する第１の通信制御部と
を備えることを特徴とする画面表示システム。
【請求項８】
前記表示装置は、
前記設定入力画面生成用信号に基づいて前記表示画面に設定入力画面を表示している際に、前記設定信号を入力するための設定信号入力画面を前記設定入力画面に重畳して表示させるための設定信号入力画面生成用信号を生成する第２の表示制御部を有し、
前記第２の通信部は、前記第２の表示制御部が生成した前記設定信号入力画面生成用信号を前記情報処理装置に送信する
ことを特徴とする請求項７記載の画面表示システム。
【請求項９】
表示装置との間で無線によりデータの送受信を行う通信部を有する情報処理装置における信号生成方法であって、
前記情報処理装置に対する設定信号を入力するための設定入力画面を前記表示装置に表示させるための設定入力画面生成用信号を静止画形式及び動画形式の少なくとも一方の形式で生成し、
前記生成した前記設定入力画面生成用信号を前記通信部を介して前記表示装置に送出する
ことを特徴とする情報処理装置における信号生成方法。
【請求項１０】
表示装置との間で無線によりデータの送受信を行う通信部を有するコンピュータにより実行されるプログラムであって、
このプログラムが前記コンピュータにより実行されると、このコンピュータを、
前記コンピュータに対する設定信号を入力するための設定入力画面を前記表示装置に表示させるための設定入力画面生成用信号を静止画形式及び動画形式の少なくとも一方の形式で生成する表示制御部と、
前記表示制御部が生成した前記設定入力画面生成用信号を前記通信部を介して前記表示装置に送出する通信制御部と
して機能させることを特徴とするプログラム。
【発明の詳細な説明】
【技術分野】
【０００１】
本発明は、表示装置との間で無線によりデータの送受信を行う通信部を有する情報処理装置、画面表示システム、情報処理装置における信号生成方法及びプログラムに関する。
【背景技術】
【０００２】
近年、ＨＤＤ（Hard Disk Drive）装置といった、記憶部を備えた情報処理装置において、ＬＡＮ（Local Area Network）等のネットワークに接続されてこのネットワークを介してデータの送受信を行うことが可能な通信部を備えるものが実現されている。このような通信部を備えた情報処理装置としては、例えばＮＡＳ（Network Attached Storage）と呼ばれるものが知られている。
【０００３】
ＮＡＳを購入して最初にネットワークに接続する際、あるいは、ＮＡＳの構成等を変更する際には、ＮＡＳの設定情報を初期設定または変更する必要がある。従来のＮＡＳはＷｅｂサーバ部を備え、このＷｅｂサーバ部が生成するＮＡＳ設定画面生成用のＨＴＭＬ（HyperText Markup Language）データに基づき、ＮＡＳと同一のネットワークに接続されたＰＣ（Personal Computer）等において立ち上げたＷｅｂブラウザまたはアプリケーションによりＮＡＳ設定画面を表示させ、このＮＡＳ設定画面において各種設定情報を入力することでＮＡＳの設定情報を初期設定または変更していた（非特許文献１参照）。
【先行技術文献】
【特許文献】
【０００４】
【特許文献１】特開２０１１−２５４３７４号公報
【非特許文献】
【０００５】
【非特許文献１】「LinkStationの設定画面を表示したい」［平成26年3月27日検索］、インターネット<URL:http://buffalo.jp/download/manual/html/lsvl/setgamenhyouji01.html>
【発明の概要】
【発明が解決しようとする課題】
【０００６】
上述した従来のＮＡＳにおいては、ＮＡＳ設定画面を表示して各種設定情報を入力するために、ＨＴＭＬデータに基づいてＮＡＳ設定画面を生成しうるＰＣ等が必要であった。従って、ＰＣ等を所有しないユーザにとって、ＮＡＳの設定動作を行うことが困難であった。
【０００７】
また、いわゆるスマートフォンと呼ばれる通信端末や、タブレット端末などには、インターネット上に存在するＨＴＭＬデータが閲覧可能なＷｅｂブラウザを搭載しているものもあるが、従来のＮＡＳのＷｅｂサーバ部が生成するＮＡＳ設定画面生成用のＨＴＭＬデータはＰＣ等において表示することを前提にしているので、このようなＮＡＳ設定画面生成用のＨＴＭＬデータをスマートフォン、タブレット端末等に搭載されたＷｅｂブラウザで閲覧した場合、ブラウザの仕様の相違やスマートフォン等の表示画面が小さいこと等の理由から、スマートフォン、タブレット端末等のブラウザにおけるＮＡＳ設定画面の表示が崩れる可能性があった。
【０００８】
なお、ルータの初期設定等において、ＵＳＢ（Universal Serial Bus）ケーブルを介してルータにディスプレイ装置を接続し、このディスプレイ装置に設定画面を表示する技術が提案されているが（特許文献１参照）、この技術においては、ルータにおける通信設定を行うための設定画面をディスプレイに表示するので、ＵＳＢケーブル等の有線通信により設定画面データをディスプレイ装置に送信する必要があった。従って、この技術をＮＡＳ設定画面に適用した場合、ＮＡＳの近傍にディスプレイ装置を設置し、このディスプレイ装置を見ながら設定動作を行う制約が生じる可能性があった。
【０００９】
本発明は上述した課題に鑑みてなされたものであり、情報処理装置の設定を多様な機器において確認することの可能な情報処理装置、画面表示システム、情報処理装置における信号生成方法及びプログラムの実現をその目的の一つとしている。
また、本発明は、情報処理装置の設定動作を行う場所の制約を緩和することの可能な情報処理装置、画面表示システム、情報処理装置における信号生成方法及びプログラムの実現もその目的の一つとしている。
【課題を解決するための手段】
【００１０】
本発明は、表示装置との間で無線によりデータの送受信を行う通信部を有する情報処理装置に適用される。そして、情報処理装置に対する設定信号を入力するための設定入力画面を表示装置に表示させるための設定入力画面生成用信号を静止画形式及び動画形式の少なくとも一方の形式で生成する表示制御部と、表示制御部が生成した設定入力画面生成用信号を通信部を介して表示装置に送出する通信制御部とを設けることにより、上述の課題の少なくとも一つを解決している。
【００１１】
ここで、表示制御部が設定入力画面生成用信号を生成している際に、設定信号の入力を受け付ける入力部を設けることが好ましい。
【００１２】
また、通信部は、無線ＬＡＮにより表示装置との間でデータの送受信を行うことが好ましく、さらに、通信部は、ＷｉＦｉ  Ｄｉｒｅｃｔ規格により表示装置との間でデータの送受信を行うことが好ましい。この場合、表示制御部は、生成した設定入力画面生成用信号を無線映像転送技術により、より好ましくはＭｉｒａｃａｓｔ規格により通信部を介して表示装置に送信することが好ましい。
【００１３】
また、本発明は、他の装置との間で無線によりデータの送受信を行う第１の通信部を有する情報処理装置、及び、表示画面生成用信号に基づいて所定の表示画面を表示する表示部と、他の装置との間で無線によりデータの送受信を行う第２の通信部とを有する表示装置からなる画面表示システムに適用される。そして、情報処理装置に、情報処理装置に対する設定信号を入力するための設定入力画面を表示装置に表示させるための設定入力画面生成用信号を静止画形式及び動画形式の少なくとも一方の形式で生成する第１の表示制御部と、表示制御部が生成した設定入力画面生成用信号を第１の通信部を介して表示装置に送出する第１の通信制御部とを設けることにより、上述の課題の少なくとも一つを解決している。
【００１４】
ここで、表示装置に、設定入力画面生成用信号に基づいて表示画面に設定入力画面を表示している際に、設定信号を入力するための設定信号入力画面を設定入力画面に重畳して表示させるための設定信号入力画面生成用信号を生成する第２の表示制御部を設け、第２の通信部が、第２の表示制御部が生成した設定信号入力画面生成用信号を情報処理装置に送信することが好ましい。
【００１５】
さらに、本発明は、表示装置との間で無線によりデータの送受信を行う通信部を有する情報処理装置における信号生成方法に適用される。そして、情報処理装置に対する設定信号を入力するための設定入力画面を表示装置に表示させるための設定入力画面生成用信号を静止画形式及び動画形式の少なくとも一方の形式で生成し、生成した設定入力画面生成用信号を通信部を介して表示装置に送出することにより、上述の課題の少なくとも一つを解決している。
【００１６】
そして、本発明は、表示装置との間で無線によりデータの送受信を行う通信部を有するコンピュータにより実行されるプログラムに適用される。そして、このプログラムがコンピュータにより実行されると、このコンピュータを、コンピュータに対する設定信号を入力するための設定入力画面を表示装置に表示させるための設定入力画面生成用信号を静止画形式及び動画形式の少なくとも一方の形式で生成する表示制御部と、表示制御部が生成した設定入力画面生成用信号を通信部を介して表示装置に送出する通信制御部として機能させることにより、上述の課題の少なくとも一つを解決している。
【発明の効果】
【００１７】
本発明では、情報処理装置の表示制御部が、設定入力画面を表示装置に表示するための設定入力画面生成用信号を静止画形式及び動画形式の少なくとも一方の形式で生成しているので、ＰＣ等、ＨＴＭＬデータに基づく表示が可能な機器に限らず、多様な機器において設定入力画面を表示することが可能となる。従って、本発明によれば、情報処理装置の設定を多様な機器において確認することの可能な情報処理装置、画面表示システム、情報処理装置における信号生成方法及びプログラムを実現することができる。
【００１８】
さらに、設定入力画面生成用信号を無線により表示装置に送出しているので、情報処理装置と表示装置との間の配置の自由度を高めた状態で、情報処理装置に対する設定動作を行うことが可能になる。従って、本発明によれば、情報処理装置の設定動作を行う場所の制約を緩和することの可能な情報処理装置、画面表示システム、情報処理装置における信号生成方法及びプログラムを実現することができる。
【図面の簡単な説明】
【００１９】
【図１】本発明の一実施形態である画面表示システムの概略構成を示すブロック図である。
【図２】一実施形態の画面表示システムを構成する情報処理装置の概略構成を示すブロック図である。
【図３】一実施形態の画面表示システムを構成する表示装置の概略構成を示すブロック図である。
【図４】一実施形態の画面表示システムの機能構成を示す機能ブロック図である。
【図５】一実施形態の画面表示システムの動作の一例を説明するためのシーケンス図である。
【図６】一実施形態の画面表示システムの動作の他の例を説明するためのシーケンス図である。
【発明を実施するための形態】
【００２０】
以下、図面を参照して、本発明の情報処理装置の実施形態について説明する。
（一実施形態）
図１は、本発明の一実施形態である画面表示システムの概略構成を示す図である。図１において、一実施形態の画面表示システムＳは、情報処理装置１及び表示装置２を備える。
【００２１】
情報処理装置１は、詳細を後述するように、データが格納された記憶部と他の装置との間でデータの送受信を行う通信部とを備え、他の装置からデータの送信の指示があると、この指示を通信部を介して受信し、この指示に基づいて記憶部内のデータの読出を行い、通信部を介してデータを他の装置に送信する。また、情報処理装置１は、他の装置からデータの受信の指示があると、この指示と受信すべきデータとを通信部を介して受信し、この指示に基づいて記憶部内にデータを書き込む。情報処理装置１は、例えばＮＡＳ、ＰＣである。情報処理装置１の詳細については後述する。
【００２２】
表示装置２は、一例として、無線ＬＡＮ、移動体通信網等との無線通信により通信部が受信した画像生成用信号に基づいて、その表示画面２ａに画像を表示する。表示装置２は、例えばスマートフォンやタブレット端末である。表示装置２の詳細についても後述する。
【００２３】
そして、情報処理装置１はスイッチングハブ等の中継機器４を介して、表示装置２は無線アクセスポイント３を介して、それぞれＬＡＮ５に接続されている。ＬＡＮ５は、ルータ６を介してインターネット等のＷＡＮ７（Wide Area Network）に接続されている。これにより、情報処理装置１及び表示装置２は、ＷＡＮ７上に存在する外部サーバ８との間でデータの送受信が可能である。
【００２４】
（一実施形態の情報処理装置の構成）
図２は、本発明の一実施形態である画面表示システムＳを構成する情報処理装置１の概略構成を示すブロック図である。図２において、本実施形態の情報処理装置１は、ＣＰＵ（Central Processing Unit）１０、ＲＯＭ（Read Only Memory）１１、ＲＡＭ（Random Access Memory）１２、入出力デバイス１３、ネットワークインタフェース（Ｉ／Ｆ）１４、ＨＤＤ部１５及び無線ＬＡＮインタフェース１６を備えており、これらはバスにより互いに接続されている。
【００２５】
ＣＰＵ１０は、後述するＲＯＭ１１内に格納されたファームウェア等のプログラムが実行されることにより、情報処理装置１全体の制御を行う。また、ＣＰＵ１０は、ＲＯＭ１１内に格納されたプログラムが実行されることにより、図４に示すような各機能部としても動作する。図４に示す各機能部の動作については後述する。ＲＯＭ１１には、上述したファームウェア等のプログラムが格納されている。ＲＡＭ１２は情報処理装置１のワークメモリとして機能し、ＣＰＵ１０を含めた情報処理装置１の動作時に一時的に使用されるプログラム、データ等が格納される。
【００２６】
入出力デバイス１３は、入力インタフェース（Ｉ／Ｆ）１３０、入力指示部１３１及びＵＳＢインタフェース（Ｉ／Ｆ）１３２を備える。
【００２７】
入力インタフェース１３０には入力指示部１３１が接続され、ユーザが入力指示部１３１を操作することにより入力される入力信号を受信する。入力指示部１３１としては、例えば情報処理装置１がＮＡＳであれば、ファイル取り込み指示、外部機器の取り外し指示、本体リセット等を行うファンクションボタン等が挙げられる。
【００２８】
ＵＳＢインタフェース１３２はＵＳＢコネクタ（図略）を備え、このＵＳＢコネクタに直接、あるいはＵＳＢケーブルを介して接続されたＵＳＢ機器２０に対して、ＵＳＢ２．０またはＵＳＢ３．０規格に沿ったデータの読み出し／書き込みを行う。ＵＳＢ機器２０としては、ＵＳＢフラッシュメモリ、ＵＳＢインタフェースを備えたＨＤＤ装置、キーボード等が挙げられる。
【００２９】
ネットワークインタフェース１４はネットワークコネクタ（図略）を備え、このネットワークコネクタにネットワークケーブル（図略）を介してルータ６が接続され、このルータ６がＷＡＮ７に接続されることで、外部ネットワークとの間でデータの送受信がされる。このネットワークインタフェース１４は、例えばＩＥＥＥ（The Institute of Electrical and Electronics Engineers）８０２．３規格に基づく有線通信を行うものである。
【００３０】
ＨＤＤ部１５は、ＨＤＤ１５１とＨＤＤインタフェース（Ｉ／Ｆ）１５０とを備える。ＨＤＤ１５１は、記録媒体であるディスクと、このディスクの回転を行う回転部と、ディスクに対してデータの読み出し／書き込みを行うヘッド部とを備える（いずれも不図示）。ＨＤＤインタフェース１５０は、このＨＤＤ１５１に対するデータの読み出し／書き込み指令があった場合に、ＨＤＤ１５１全体の制御を行うとともに、データの読み出し／書き込み制御を行い、読み出されたデータを出力する。
【００３１】
無線ＬＡＮインタフェース１６は、例えばＩＥＥＥ８０２．１１規格、さらにはＷｉＦｉ  Ａｌｌｉａｎｃｅが定めたＷｉＦｉ  Ａｌｌｉａｎｃｅ  Ｐｅｅｒ−ｔｏ−Ｐｅｅｒ仕様に基づくＷｉＦｉ  Ｄｉｒｅｃｔ方式に準拠して、他の無線ＬＡＮ装置と無線通信を行う。この無線ＬＡＮインタフェース１６は、情報処理装置１を無線ＬＡＮステーションとして動作させ、インフラストラクチャーモードまたはピア・ツー・ピア接続で他の無線ＬＡＮ装置との間の無線通信を行う。ＷｉＦｉ  Ｄｉｒｅｃｔ方式においては、互いにピア・ツー・ピア接続されている複数の無線ＬＡＮ装置がグループを形成し、このグループに属する無線ＬＡＮ装置のうちいずれかの無線ＬＡＮ装置が無線ＬＡＮアクセスポイントとして機能し、一般的な無線ＬＡＮアクセスポイントが有する機能の一部を提供する。ＷｉＦｉ  Ｄｉｒｅｃｔ仕様の詳細については、例えばＷｉＦｉ  Ａｌｌｉａｎｃｅが提供する仕様書（Wi-Fi Peer-to-Peer (P2P) Technical Specification v1.2<URL: http://www.wi-fi.org/wi-fi-peer-to-peer-p2p-technical-specification-v12>）に詳細に開示されているので、ここではこれ以上の説明を省略する。他の無線ＬＡＮ装置としては、例えば表示装置２が挙げられる。
【００３２】
（一実施形態の表示装置の構成）
図３は、一実施形態の画面表示システムＳを構成する表示装置２の概略構成を示すブロック図である。図３において、表示装置２は、ＣＰＵ（Central Processing Unit）３０、ＲＯＭ（Read Only Memory）３１、ＲＡＭ（Random Access Memory）３２、表示デバイス３３、内部ストレージ部３４、移動体通信モジュール３５０、音声インタフェース（Ｉ／Ｆ）３５１、マイクロフォン３５２、スピーカ３５３、アンテナ３５４、入出力デバイス３６及び無線ＬＡＮインタフェース３７を備え、ＣＰＵ３０、ＲＯＭ３１、ＲＡＭ３２、表示デバイス３３、内部ストレージ部３４、移動体通信モジュール３５０、入出力デバイス３６、及び無線ＬＡＮインタフェース３７はそれぞれ共通のバスにより接続されている。
【００３３】
ＣＰＵ３０は、ＲＯＭ３１内に格納されたファームウェア等のプログラムがＲＡＭ３２において展開された後で実行されることで、表示装置２全体の動作制御を行う。また、ＣＰＵ３０は図略の内部時計を備える。ＲＯＭ３１には、上述のファームウェア等のプログラムや、各種設定データが格納されている。ＲＡＭ３２は、表示装置２のワークメモリとして動作し、各種プログラム及びデータが一時的に格納される。
【００３４】
表示デバイス３３は、液晶パネル３３１とこの液晶パネル３３１を駆動させる液晶ドライバ３３０とを備える。液晶パネル３３１は、その表示面が表示装置２の表面に露出して設けられている。液晶ドライバ３３０は、表示画面を構成するデータがＣＰＵ３０からこの液晶ドライバ３３０に供給されると、液晶パネル３３１の表示面に所望の表示画面を表示するようにこの液晶パネル３３１を駆動する。
【００３５】
内部ストレージ部３４は、内部ストレージ３４１と内部ストレージインタフェース（Ｉ／Ｆ）３４０とを備える。内部ストレージ３４１は、例えばフラッシュメモリのような不揮発性半導体メモリであり、表示装置２において用いられるアプリケーションプログラム等が格納される。内部ストレージインタフェース３４０は、この内部ストレージ３４１に対するデータの読み出し／書き込み指令があった場合に、内部ストレージ３４１全体の制御を行うとともに、データの読み出し／書き込み制御を行い、読み出されたデータを出力する。なお、内部ストレージ３４１は、例えばｍｉｃｒｏＳＤのような挿脱可能な不揮発性メモリーカードであってもよく、この場合、内部ストレージインタフェース３４０は、このメモリーカードが装着されるメモリカードスロットをさらに備える。
【００３６】
移動体通信モジュール３５０は、例えばＩＭＴ（International Mobile Telecommunication）−２０００規格に準拠して、アンテナ３５４を介して移動体通信網との間で移動体無線通信を行う。すなわち、移動体通信モジュール３５０は、移動体通信網の基地局から受信した電波をデコードして得られた音声信号を、音声インタフェース３５１を介してスピーカ３５３から発音させ、音声インタフェース３５１を介してマイクロフォン３５２が集音した音声をエンコードして、アンテナ３５４を介して電波として移動体通信網の基地局に送信する。また、移動体通信モジュール３５０は、パケット化されたデータを移動体通信網の基地局との間で送受信をすることで、データ通信を行う。なお、この移動体通信モジュール３５０が対応する規格には、３Ｇ／ＨＳＤＰＡ（3rd Generation/High-Speed Downlink Packet Access）、ＬＴＥ（Long Term Evolution）、ＷｉＭＡＸ（Worldwide Interoperability for Microwave Access）の少なくとも一つが含まれうる。
【００３７】
入出力デバイス３６は、入力インタフェース（Ｉ／Ｆ）３６０、入力指示部３６１、タッチパネル３６２及びＵＳＢインタフェース３６３を備える。
【００３８】
入力インタフェース３６０には入力指示部３６１が接続され、ユーザが入力指示部３６１を操作することにより入力される入力信号を受信する。入力指示部３６１としては、例えば設定入力開始動作指示等を行うファンクションボタン等が挙げられる。
タッチパネル３６２は、本実施形態では液晶パネル３３１の表示面の上面に重畳されて設けられ、この液晶パネル３３１の表示面と略同一の大きさを有する。ユーザによりタッチパネル３６２の表面がタッチされ、すなわち、タッチパネル３６２の表面上の特定位置がユーザにより触れられたら、タッチパネル３６２の表面上の特定位置が２次元の座標位置として検出され、この座標位置は入力インタフェース３６０を介して出力される。
【００３９】
ＵＳＢインタフェース３６３はＵＳＢコネクタ（図略）を備え、このＵＳＢコネクタに直接、あるいはＵＳＢケーブルを介して接続されたＵＳＢ機器４０に対して、ＵＳＢ２．０またはＵＳＢ３．０規格に沿ったデータの読み出し／書き込みを行う。ＵＳＢ機器４０としては、ＵＳＢフラッシュメモリ、ＵＳＢインタフェースを備えたＨＤＤ装置、キーボード等が挙げられる。
【００４０】
無線ＬＡＮインタフェース３７は、無線ＬＡＮインタフェース１６と同様に、例えばＩＥＥＥ８０２．１１規格、さらにはＷｉＦｉ  Ａｌｌｉａｎｃｅが定めたＷｉＦｉ  Ａｌｌｉａｎｃｅ  Ｐｅｅｒ−ｔｏ−Ｐｅｅｒ仕様に基づくＷｉＦｉ  Ｄｉｒｅｃｔ方式に準拠して、他の無線ＬＡＮ装置と無線通信を行う。この無線ＬＡＮインタフェース３７は、表示装置２を無線ＬＡＮステーションとして動作させ、インフラストラクチャーモードまたはピア・ツー・ピア接続で他の無線ＬＡＮ装置との間の無線通信を行う。他の無線ＬＡＮ装置としては、例えば情報処理装置１が挙げられる。
【００４１】
（一実施形態の画面表示システムの機能構成）
図４は、一実施形態の画面表示システムＳの機能構成を示す機能ブロック図である。図４において、本実施形態の画面表示システムＳを構成する情報処理装置１は、制御部５０、第１の入力部５１、記憶部５２及び第１の通信部５３を備える。また、本実施形態の画面表示システムＳを構成する表示装置２は、制御部６０、第２の入力部６１、表示部６２及び第２の通信部６３を備える。情報処理装置１と表示装置２とは、第１の通信部５３及び第２の通信部６３が互いに無線ＬＡＮを介して接続されている。
【００４２】
制御部５０は、情報処理装置１全体の制御を行う。この制御部５０は、第１の表示制御部５４及び第１の通信制御部５５を備える。
【００４３】
第１の表示制御部５４は、情報処理装置１に対する設定信号を入力するための設定入力画面を表示装置２に表示させるための設定入力画面生成用信号を静止画形式及び動画形式の少なくとも一方の形式で生成する。
【００４４】
より詳細には、第１の表示制御部５４は、記憶部５２に格納されている設定入力画面データ５２０に基づき、設定入力画面をＷｅｂブラウザで生成するためのＷｅｂブラウザ表示用データを生成する。このＷｅｂブラウザ表示用データはマークアップ言語に基づくデータであることが好ましく、さらにはＨＴＭＬデータであることが好ましい。
【００４５】
ここに、マークアップ言語とは、テキストファイル中に文書の構造や見栄えに関する指定を特定の記号（タグと呼ばれることが多い）を用いて記述した言語のことであり、マークアップ言語の一例としては、上述したＨＴＭＬ、及びＳＧＭＬ（Standard Generalized Markup Language）、ＸＭＬ（eXtensible Markup Language）、ＸＨＴＭＬ（eXtensible Hypertext Markup Language）などが挙げられる。本実施形態におけるＷｅｂブラウザ表示用データは、これらＨＴＭＬ、ＳＧＭＬ、ＸＭＬ及びＸＨＴＭＬそのもの、あるいは、これらの言語に対して拡張または限定を行った形式のうち、いずれかの形式の言語により記述されたものが含まれうる。このＷｅｂブラウザ表示用データは、ＰＣ等を用いて情報処理装置１に対する設定を行う場合に、このＰＣ等に提供され、ＰＣ等のＷｅｂブラウザによって設定入力画面が表示される。
【００４６】
また、第１の表示制御部５４は、記憶部５２に格納されている設定入力画面データ５２０に基づいて、設定入力画面を表示するための設定入力画面画像データを一時的に記憶部５２に直接描画する。そして、第１の表示制御部５４は、記憶部５２に描画された設定入力画面画像データを静止画形式及び動画形式の少なくとも一方の形式の操作入力画面生成用信号に変換（エンコード）する。
【００４７】
好ましくは、この第１の表示制御部５４は、生成した設定入力画面生成用信号を無線映像転送技術により、より好ましくはＭｉｒａｃａｓｔ規格により第１の通信部５３を介して表示装置２に送信する。Ｍｉｒａｃａｓｔ規格はＷｉＦｉ  Ａｌｌｉａｎｃｅにより策定されたもので、ディスプレイ画面に表示される画像をＷｉＦｉ  Ｄｉｒｅｃｔ規格により他のディスプレイ画面に転送する技術である。また、このＭｉｒａｃａｓｔ規格では、画像が転送された先において操作入力画面を重畳して表示し、選択入力信号を画像転送元に送信することが可能である。Ｍｉｒａｃａｓｔ規格においては、ディスプレイ画面に表示される画像は動画形式に変換されて転送される。Ｍｉｒａｃａｓｔ規格が定める動画形式はＨ．２６４／ＭＰＥＧ（Moving Picture Experts Group）−４  ＡＶＣ（Advanced Video Coding）であり、従って、第１の表示制御部５４は、設定入力画面を表示装置２に表示させるための設定入力画面生成用信号を、Ｍｉｒａｃａｓｔ規格が定める動画形式で生成する。
【００４８】
第１の通信制御部５５は、第１の表示制御部５４が生成した設定入力画面生成用信号を第１の通信部５３を介して表示装置２に送出する。
【００４９】
第１の入力部５１は、外部入力機器または上述した入力指示部１３１から情報処理装置１に入力される各種データの入力を受け付け、入力された各種データを制御部５０に入力し、あるいは記憶部５２に格納する。好ましくは、第１の入力部５１は、第１の表示制御部５４が設定入力画面生成用信号を生成している際に、設定信号の入力を受け付ける。記憶部５２は、情報処理装置１の各種制御、動作を行うためのデータが少なくとも一時的に格納するためのものであり、本実施形態の記憶部５２には、設定入力画面を生成するための設定入力画面データ５２０が格納されている。
【００５０】
第１の通信部５３は、表示装置２を含む外部機器との間で無線によりデータの送受信を行う。より詳細には、第１の通信部５３は、設定入力画面生成用信号を含む、制御部５０、記憶部５２内の各種データを、表示装置２を含む外部機器に無線送信し、また、表示装置２からの各種データを無線受信する。好ましくは、第１の通信部５３は、第１の通信制御部５５と協同して、ＷｉＦｉ  Ｄｉｒｅｃｔ規格により表示装置２との間でデータの送受信を行う。
【００５１】
一方、表示装置２の制御部６０は表示装置２全体の制御を行う。この制御部６０は、第２の表示制御部６４及び第２の通信制御部６５を備える。
【００５２】
第２の表示制御部６４は、情報処理装置１から送信された設定入力画面生成用信号を第２の通信部６３を介して受信し、この設定入力画面生成用信号に基づいて表示部６２の表示画面２ａに設定入力画面を表示する。好ましくは、この第２の表示制御部６４は、Ｍｉｒａｃａｓｔ規格に準拠して、情報処理装置１から送信された設定入力画面生成用信号に基づいて表示部６２の表示画面２ａに設定入力画面を表示する。さらに好ましくは、第２の表示制御部６４は、表示部６２の表示画面に設定入力画面を表示している際に、設定信号を入力するための設定信号入力画面を設定入力画面に重畳して表示させるための設定信号入力画面生成用信号を生成する。かかる動作は、好ましくはＭｉｒａｃａｓｔ規格に準拠して行われる。
【００５３】
第２の通信制御部６５は、第２の表示制御部６４が生成した設定信号入力画面生成用信号を第２の通信部６３を介して表示装置２に送出する。
【００５４】
第２の入力部６１は、外部入力機器やユーザから表示装置２に入力される各種データの入力を受け付け、入力された各種データを制御部６０に入力する。表示部６２は、制御部６０から出力された設定信号入力画面生成用信号を含む画面表示用信号、及び情報処理装置１から送信された設定入力画面生成用信号に基づいて、表示画面２ａに所定の画面を表示する。
【００５５】
第２の通信部６３は、情報処理装置１を含む外部機器との間で無線によりデータの送受信を行う。より詳細には、第２の通信部６３は、第２の表示制御部６４が生成した設定信号入力画面生成用信号を含む、制御部６０内の各種データを、情報処理装置１を含む外部機器に無線送信し、また、情報処理装置１を含む外部機器からの設定入力画面生成用信号等の各種データを無線受信する。好ましくは、第２の通信部６３は、第２の通信制御部６５と協同して、ＷｉＦｉ  Ｄｉｒｅｃｔ規格により情報処理装置１との間でデータの送受信を行う。
【００５６】
以上の構成において、制御部５０及び制御部５０を構成する第１の表示制御部５４及び第１の通信制御部５５は主にＣＰＵ１０及び無線ＬＡＮインタフェース１６により構成され、第１の入力部５１は主に入出力デバイス１３により構成され、記憶部５２は主にＲＯＭ１１、ＲＡＭ１２及びＨＤＤ部１５により構成され、そして第１の通信部５３は主にネットワークインタフェース１４及び無線ＬＡＮインタフェース１６により構成される。また、制御部６０及び制御部６０を構成する第２の表示制御部６４及び第２の通信制御部６５は主にＣＰＵ３０により構成され、第２の入力部６１は主に入出力デバイス３６により構成され、表示部６２は主に表示デバイス３３により構成され、第２の通信部６３は主に無線ＬＡＮインタフェース３７により構成される。図４に示す情報処理装置１及び表示装置２の各機能部の動作については後に詳述する。
【００５７】
（一実施形態の画面表示システムの動作）
次に、図５及び図６のシーケンス図を参照して、本実施形態の画面表示システムＳの動作について説明する。
【００５８】
図５は、本実施形態の画面表示システムＳにおける情報処理装置１と表示装置２とのペアリング動作の概要を説明するためのシーケンス図である。図５においては、情報処理装置１のみ動作を行っているものとする。まず、ステップＳ１では、情報処理装置１の第１の通信部５３が、情報処理装置１の周囲にＰｒｏｂｅ  Ｒｅｑｕｅｓｔパケットを送信してその応答パケットが到来するのを待機することで、情報処理装置１と通信を行う他のデバイスが検出されるのを待機している。この状態で、ステップＳ２で表示装置２の電源スイッチ等が操作されてこの表示装置２の電源がＯＮされる。
【００５９】
あるいは、表示装置２の電源スイッチ等が操作されることを契機に、さらにあるいは、表示装置２の制御部６０において特定のアプリケーションソフトが起動されることを契機に、表示装置２が、この表示装置２と通信を行う他のデバイスである情報処理装置１を検出してもよい。
【００６０】
ステップＳ３では、上述のステップＳ１から引き続き、情報処理装置１の第１の通信部５３がＰｒｏｂｅ  Ｒｅｑｕｅｓｔパケットを送信し、ステップＳ４では、表示装置２の第２の通信部６３がこのＰｒｏｂｅ  Ｒｅｑｕｅｓｔパケットを受信する。
【００６１】
情報処理装置１とのペアリングを希望するユーザは、ステップＳ５において表示装置２の入力指示部３６１を操作することでペアリングの指示を行う。入力指示部３６１の操作は、ペアリング動作開始及びＷＰＳ（Wi-Fi Protected Setup）開始の指示を行うためのものである。ＷＰＳの詳細については後述する。
【００６２】
ステップＳ６では、表示装置２の第２の通信制御部６５、第２の通信部６３及び情報処理装置１の第１の通信制御部５５、第１の通信部５３が、これら表示装置２及び情報処理装置１によりＷｉＦｉ  Ｄｉｒｅｃｔ規格におけるグループを形成するためのネゴシエーション動作（Ｇｒｏｕｐ  Ｏｗｎｅｒネゴシエーション）を行う。通常、このＧｒｏｕｐ  Ｏｗｎｅｒネゴシエーション動作は、Ｐｒｏｂｅ  Ｒｅｑｕｅｓｔパケットを受信した無線ＬＡＮデバイス、ここでは表示装置２が、このＰｒｏｂｅ  Ｒｅｑｕｅｓｔパケットに対する応答としてＧｏ  Ｎｅｇｏｔｉａｔｉｏｎ  Ｒｅｑｕｅｓｔフレームを送信することで開始する。このＧｏ  Ｎｅｇｏｔｉａｔｉｏｎ  ＲｅｑｕｅｓｔフレームにはＷＰＳ  ＩＥ（Information Element）が含まれるが、図５では説明を明確化するためにＷＰＳネゴシエーションについては別ステップ（ステップＳ７）で行うように説明している。
【００６３】
次いで、ステップＳ７では、表示装置２の第２の通信制御部６５、第２の通信部６３及び情報処理装置１の第１の通信制御部５５、第１の通信部５３が、これら表示装置２及び情報処理装置１が無線ＬＡＮによる通信を行う際の通信設定を行うＷＰＳネゴシエーション動作を行う。ＷＰＳは、無線ＬＡＮの接続の際に必要となるＳＳＩＤ（Service Set Identifier）の設定、暗号キー等の設定を簡易に行うための動作である。ＷＰＳにはＰＩＮ（Personal Identification Number）コード方式とプッシュボタン方式との２種類があるが、本実施形態ではプッシュボタン方式を採用している。ステップＳ７におけるＷＰＳネゴシエーションでは、情報処理装置１及び表示装置２との間での無線ＬＡＮによる無線通信を行う際の認証方式、暗号化方式、暗号キー、ＳＳＩＤ等無線設定に関する情報をやり取りして、これらの間における無線設定を決定する。
【００６４】
ステップＳ８では、情報処理装置１の第１の通信制御部５５、第１の通信部５３が、ＷｉＦｉ  Ｄｉｒｅｃｔ規格に基づいて、表示装置２に対してマウス及びキーボードの接続要求を送信し、ステップＳ９では、表示装置２の第２の通信制御部６５、第２の通信部６３が、この接続要求を受け付けたことを送信する。以上の動作により、ステップＳ１０及びステップＳ１１において情報処理装置１及び表示装置２のペアリング動作が完了し、また、表示装置２のマウス及びキーボードの接続が完了する。ここに、「マウス及びキーボード」とは、実際には表示装置２の第２の入力部６１に相当する。
【００６５】
ステップＳ１２では、表示装置２の第２の通信制御部６５、第２の通信部６３及び情報処理装置１の第１の通信制御部５５、第１の通信部５３が、Ｍｉｒａｃａｓｔ規格に準拠して画像の送受信を行うためのネゴシエーション動作（Ｍｉｒａｃａｓｔネゴシエーション）を行う。具体的には、ステップＳ１２では、情報処理装置１及び表示装置２のデバイス能力（画像の解像度、画像及び音声のエンコード方式など）を把握し、Ｍｉｒａｃａｓｔ規格に基づく画像の送受信が可能であることを確認する。
【００６６】
次いで、図６は、Ｍｉｒａｃａｓｔ規格に準拠して情報処理装置１の設定入力画面を表示装置２に表示する動作の概要を説明するためのシーケンス図である。まず、ステップＳ２０では、情報処理装置１の第１の表示制御部５４が、記憶部５２内に格納されている設定入力画面データ５２０を読み出し、設定入力画面画像データを生成する。次いで、ステップＳ２１では、第１の表示制御部５４が、ステップＳ１で生成した設定入力画面画像データを、Ｍｉｒａｃａｓｔ規格に準拠して送信可能な動画形式の設定入力画面生成用信号に変換（エンコード）することで、この設定入力画面生成用信号を生成する。
【００６７】
ステップＳ２２では、第１の通信制御部５５及び第１の通信部５３が、ステップＳ２１において生成された設定入力画面生成用信号を表示装置２に送信する。ステップＳ２３では、表示装置２の第２の通信部６３がこの設定入力画面生成用信号を受信し、受信した設定入力画面生成用信号を制御部６０の第２の表示制御部６４に送出する。そして、第２の表示制御部６４は、この設定入力画面生成用信号に基づいて、表示部６２の表示画面２ａに設定入力画面を表示する。この設定入力画面には、設定信号入力画面を表示させるためのボタンが表示されているものとする。
【００６８】
ステップＳ２４では、設定信号入力画面を表示させるためのボタンをユーザが操作するのを待ち、ユーザがこのボタンを操作したことを第２の入力部６１が検出したら、第２の入力部６１はその検出結果を制御部６０に送出し、ステップＳ２５に移行する。ステップＳ２５では、第２の表示制御部６４が設定信号入力画面生成用信号を生成し、この設定信号入力画面生成用信号に基づいて、表示部６２の表示画面２ａに、設定信号入力画面に重畳して設定信号入力画面を表示させる。なお、図５のステップＳ１１に示すように、表示装置２のキーボードの接続設定が既にされているので、この設定信号入力画面は、表示装置２が備えるソフトウェアキーボード等を用いることが可能である。
【００６９】
ステップＳ２６では、この設定信号入力画面が表示されている状態で、ユーザが第２の入力部６１を操作して設定信号を入力するのを待ち、ユーザが設定信号を入力したことを第２の入力部６１が検出したら、第２の入力部６１はこの設定信号を制御部６０に送出し、ステップＳ２７に移行する。ステップＳ２７では、第２の入力部６１を介して入力された設定信号を制御部６０が受け入れ、ステップＳ２８では、第２の通信制御部６５及び第２の通信部６３が、第２の入力部６１を介して入力された設定信号を情報処理装置１に送信する。情報処理装置１の制御部５０は、第１の通信部５３を介して設定信号を受信し、この設定信号に基づいて設定入力の内容を必要に応じて変更する。なお、設定入力画面が、いわゆるラジオボタンやチェックボックスのように選択入力を許容するものである場合は、図５のステップＳ１１に示すように、表示装置２のマウスの接続設定が既にされているので、設定信号入力画面を表示せずに、ユーザが設定入力画面上のラジオボタン等をタッチすることにより、第２の入力部６１がこのタッチ動作を検出し、この第２の入力部６１が選択入力信号としての設定信号を出力することも可能である。
【００７０】
ステップＳ２９では、表示装置２の電源がＯＦＦされたか否かが判定され、電源がＯＦＦされていない（ステップＳ２９においてＮＯ）場合は、プログラムはステップＳ２４に戻り、ステップＳ２４〜Ｓ２９の動作が繰り返される。一方、電源がＯＦＦされた（ステップＳ２９においてＹＥＳ）場合は、ステップＳ３０において設定入力を完了し、情報処理装置１とのペアリングが解除される。一方、表示装置２の電源がＯＦＦされたことで、この表示装置２からのパケットを情報処理装置１が受信できなくなる。情報処理装置１の制御部５０は、表示装置２からのパケットが一定時間到来しない場合は表示装置２の電源がＯＦＦされたものと判断し、ステップＳ３０で情報処理装置１の設定を完了し、表示装置２とのペアリングを解除する。
【００７１】
（一実施形態の画面表示システムの効果）
以上詳細に説明したように、本実施形態の画面表示システムＳでは、情報処理装置１の第１の表示制御部５４が、設定入力画面を表示装置２の表示画面２ａに表示するための設定入力画面生成用信号を静止画形式及び動画形式の少なくとも一方の形式で生成しているので、ＰＣ等、ＨＴＭＬデータに基づく表示が可能な機器に限らず、情報処理装置の設定を多様な機器において確認することが可能となる。加えて、スマートフォン、タブレット端末のようにＨＴＭＬデータを表示可能なブラウザを備えた機器においても、設定入力画面のレイアウト等を崩すことなく表示することができ、この面からも、情報処理装置の設定を多様な機器において確認することが可能となる。
【００７２】
また、本実施形態によれば、表示装置２の表示能力や機能によらず、共通のＵＩ（User Interface）画面である操作入力画面を表示装置２の表示画面２ａに表示することができる。これにより、表示装置２の機種を問わず、共通のＵＩ画面をユーザに提供することができる。特に、情報処理装置１の機能向上や新規操作入力画面の提供等、情報処理装置１が提供する操作入力画面に変化があったために、従前、表示装置２において表示可能であった操作入力画面の少なくとも一部、特に新規に提供されるようになった操作入力画面が表示装置２において表示できなくなることがあり得るが、本実施形態の情報処理装置１によれば、機能向上等があっても表示装置２において操作入力画面が表示できないという事態を避けることができる。
【００７３】
加えて、本実施形態では、設定入力画面生成用信号を無線により表示装置２に送出しているので、情報処理装置１と表示装置２との間の配置の自由度を高めた状態で、情報処理装置１に対する設定動作を行うことが可能になる。これにより、情報処理装置１の設定動作を行う場所の制約を緩和することが可能になる。
【００７４】
特に、本実施形態では、Ｍｉｒａｃａｓｔ規格に準じた手順で操作入力画面生成用信号を表示装置２に送出しているので、Ｍｉｒａｃａｓｔ規格に準拠して画面表示を行う機能を有するスマートフォン、タブレット端末等によっても設定入力画面を表示することができる。近年のスマートフォン、タブレット端末はＭｉｒａｃａｓｔ規格に準拠して画面表示を行う機能を有するものが多く、ユーザが元々所有しているスマートフォン等を用いて情報処理装置１の操作入力を行えるメリットは大きい。
【００７５】
（変形例）
なお、本発明の画面表示システムＳは、その詳細が上述の一実施形態に限定されず、種々の変形が可能である。一例として、一実施形態では情報処理装置１の第１の表示制御部５４が設定入力画面データ５２０に基づいて直接設定入力画面を描画することで設定入力画面画像データを生成していたが、第１の表示制御部５４はＨＴＭＬデータによるＷｅｂブラウザ表示用データを生成する機能も有しているので、この第１の表示制御部５４にＷｅｂブラウザ部を設けてこのＷｅｂブラウザ部により設定入力画面画像データを生成してもよい。さらに、第１の表示制御部５４に、設定入力画面画像データを記憶部５２に一時的に書き込むキャプチャ部及びこのキャプチャ部により書き込まれた設定入力画面画像データを静止画形式及び動画形式の少なくとも一方の形式の設定入力画面生成用信号に変換するエンコーダ部を設けてもよい。
【００７６】
さらに、上述の一実施形態では、表示装置２が１台の情報処理装置１に接続される構成についてのみ説明したが、複数台の情報処理装置１が表示装置２に接続されていてもよい。
【００７７】
さらに、Ｍｉｒａｃａｓｔ規格では情報処理装置１及び表示装置２のデバイス能力を互いに検出しているので、表示装置２のデバイス能力に基づいて情報処理装置１の第１の表示制御部５４が設定入力画面生成用信号を生成してもよい。一例として、第１の表示制御部５４は、表示装置２の表示画面２ａの解像度 （画素数等）に対して適切な解像度を有する設定入力画面生成用信号を生成してもよい。
【００７８】
さらに、上述の一実施形態では第１の表示制御部５４が生成した設定入力画面生成用信号を、第１の通信制御部５５がＭｉｒａｃａｓｔ規格に準じた手順で第１の通信部５３を介して表示装置２に送出していたが、設定入力画面生成用信号を表示装置２に送出する手順はＭｉｒａｃａｓｔ規格に限定されず、既知の無線映像転送技術が当然のように適用可能である。このような無線映像転送技術の一例としては、ＷＨＤＩ（Wireless Home Digital Interface）、ＷｉｒｅｌｅｓｓＨＤ、ＷｉＧｉｇ（Wireless Gigabit）、ＡｉｒＰｌａｙ（登録商標）等が挙げられる。
【００７９】
そして、上述の各実施形態において、情報処理装置１及び表示装置２を動作させるプログラムはＲＯＭ１１、ＨＤＤ部１５等に格納されて提供されていたが、不図示の光学ディスクドライブ、ＵＳＢインタフェース１３２、３６３等を用いて、プログラムが格納されたＤＶＤ（Digital Versatile Disc）、ＵＳＢフラッシュメモリ装置、メモリーカード等を接続し、このＤＶＤ等からプログラムを情報処理装置１、表示装置２に読み込んで動作させてもよい。また、ＷＡＮ７上の外部サーバ８内にプログラムを格納しておき、ネットワークインタフェース１４を介してこのプログラムを情報処理装置１に読み込んで動作させてもよい。さらに、上述の各実施形態において、情報処理装置１、表示装置２は複数のハードウェア要素により構成されていたが、これらハードウェア要素の一部の動作をＣＰＵ１０、３０がプログラムの動作により実現することも可能である。加えて、上述の各実施形態ではＨＤＤ部１５を用いていたが、ＨＤＤ部１５以外の記憶媒体、一例としてＳＳＤ（Solid State Drive）装置やメモリーカード等の周知の記憶媒体を用いることも可能である。
【符号の説明】
【００８０】
Ｓ    画面表示システム
１    情報処理装置
２    表示装置
２ａ    表示画面
１０、３０  ＣＰＵ
１１、３１  ＲＯＭ
１２、３２  ＲＡＭ
１３、３６  入出力デバイス
１４  ネットワークインタフェース
１５  ＨＤＤ部
１６、３７  無線ＬＡＮインタフェース
２０、４０  ＵＳＢ機器
３３  表示デバイス
３４  内部ストレージ部
５０、６０  制御部
５１    第１の入力部
５２    記憶部
５３    第１の通信部
５４    第１の表示制御部
５５    第１の通信制御部
５６    第２の通信部
６０    制御部
６１    第２の入力部
６２    表示部
６３    第２の通信部
６４    第２の表示制御部
６５    第２の通信制御部
１３１、３６１  入力指示部
３６２  タッチパネル
５２０  設定入力画面データ
【図１】
2015191371.tif 000003
【図２】
2015191371.tif 000004
【図３】
2015191371.tif 000005
【図４】
2015191371.tif 000006
【図５】
2015191371.tif 000007
【図６】
2015191371.tif 000008